(57)【要約】【課題】消費電力の増加を抑制しつつ、画質の低下を抑制する。【解決手段】表示装置は、所定間隔で入力値が並ぶ第１区間と、第１区間より密な間隔で入力値が並ぶ第２区間とを設けた複数の入力値と、複数の入力値を第１関数で変換した変換値とを対応付けたテーブルを保持するテーブル保持部と、テーブルを参照し、入力信号の入力値が位置する区間を特定し、特定した区間の両端に位置する変換値から導かれる第２関数に前記入力信号の入力値を入力して、出力信号に変換する信号変換部と、出力信号に基づき、画像を出力する画像表示パネルと、を有する。【選択図】図１
2015203798.tif 000002
【特許請求の範囲】
【請求項１】
所定間隔で入力値が並ぶ第１区間と、前記第１区間より密な間隔で入力値が並ぶ第２区間とを設けた複数の入力値と、前記複数の入力値を第１関数で変換した変換値とを対応付けたテーブルを保持するテーブル保持部と、
前記テーブルを参照し、入力信号の入力値が位置する区間を特定し、特定した前記区間の両端に位置する変換値から導かれる第２関数に前記入力信号の入力値を入力して、出力信号に変換する信号変換部と、
前記出力信号に基づき、画像を出力する画像表示パネルと、
を有する表示装置。
【請求項２】
前記テーブルにおいて、前記第２区間の前記第１関数の傾きの絶対値は、前記第１区間の前記第１関数の傾きの絶対値よりも大きい請求項１記載の表示装置。
【請求項３】
前記第２関数は、特定した前記区間の両端に位置する変換値を通過する線形関数である請求項１または２に記載の表示装置。
【請求項４】
前記第２関数は、特定した前記区間の両端に位置する変換値を用いて線形補間により導かれる請求項１乃至３のいずれかに記載の表示装置。
【請求項５】
前記テーブル保持部は、複数の種類の前記第１関数に対応して、複数の前記テーブルを保持する請求項１乃至４のいずれかに記載の表示装置。
【請求項６】
前記信号変換部は、前記テーブル保持部から、指定された種類の前記第１関数に対応するテーブルを選択する請求項５記載の表示装置。
【請求項７】
前記入力値が階調値であって、
前記第２区間の前記階調値は、前記第１区間の前記階調値よりも密である請求項１乃至６のいずれかに記載の表示装置。
【請求項８】
前記入力信号は、前記画像表示パネルの画素の輝度を調整する指標に基づき調整されている請求項１乃至７のいずれかに記載の表示装置。
【請求項９】
テーブル保持部と信号変換部とを有する表示装置の表示方法において、
前記信号変換部が、
所定間隔で入力値が並ぶ第１区間と、前記第１区間より密な間隔で入力値が並ぶ第２区間とを設けた複数の入力値と、前記複数の入力値を第１関数で変換した変換値とを対応付けた、前記テーブル保持部が保持するテーブルを参照し、
入力信号の入力値が位置する区間を特定し、特定した前記区間の両端に位置する変換値から導かれる第２関数に前記入力信号の入力値を入力して、出力信号に変換し、
前記出力信号に基づき、画像を出力させる、
表示方法。
【発明の詳細な説明】
【技術分野】
【０００１】
本技術は、表示装置及び表示方法に関する。
【背景技術】
【０００２】
液晶表示パネルを備える表示装置は、液晶表示パネルのガンマ特性を示すグラフを用いて、入力画像信号を当該入力画像信号に対応された出力画像信号に変換し、変換された出力画像信号に基づいて画像を表示する。
【０００３】
また、表示装置は、このような画像信号の変換に、ガンマ特性を示すグラフ上の複数の座標（調整ポイント）間で線形補間して得られるグラフ（線形補間グラフ）を用いることができる（例えば、特許文献１参照）。
【０００４】
このような線形補間グラフは、ガンマ特性を示すグラフを近似するものであり、調整ポイントの数を増加させる程に、ガンマ特性を示すグラフとの誤差を減少させることが可能となる。
【先行技術文献】
【特許文献】
【０００５】
【特許文献１】特開２０１１−２０９５２３号公報
【発明の概要】
【発明が解決しようとする課題】
【０００６】
しかし、上記線形補間グラフは、調整ポイントの数を増加させると、調整ポイントを保持する回路の数が増加するために回路規模（面積）が増加し、消費電力も増加してしまうという問題点があった。
【０００７】
一方、回路規模の増加を抑制するために、調整ポイントの数を減少させると、線形補間グラフとガンマ特性を示すグラフとの誤差が増加してしまう。これにより、当該線形補間グラフにより変換された出力画像信号に基づいて表示される画像から所望の画質が得られないという問題点があった。
【０００８】
本開示の技術は、このような点を鑑みてなされたものであり、消費電力の増加を抑制しつつ、画質の低下を抑制する表示装置及び表示方法を提供する。
【課題を解決するための手段】
【０００９】
本発明の一態様は、所定間隔で入力値が並ぶ第１区間と、前記第１区間より密な間隔で入力値が並ぶ第２区間とを設けた複数の入力値と、前記複数の入力値を第１関数で変換した変換値とを対応付けたテーブルを保持するテーブル保持部と、前記テーブルを参照し、入力信号の入力値が位置する区間を特定し、特定した前記区間の両端に位置する変換値から導かれる第２関数に前記入力信号の入力値を入力して、出力信号に変換する信号変換部と、前記出力信号に基づき、画像を出力する画像表示パネルと、を有する表示装置である。
【図面の簡単な説明】
【００１０】
【図１】第１の実施の形態における表示装置を示す図である。
【図２】第２の実施の形態における表示装置のハードウェア構成例を示す図である。
【図３】第２の実施の形態における表示装置に含まれる画像表示パネルの画素配列例を示す図である。
【図４】第２の実施の形態における表示装置に含まれる面状光源装置の構成例を示す図である。
【図５】第２の実施の形態における表示装置が備える機能の構成例を示す図である。
【図６】第２の実施の形態における表示装置で再現可能な再現ＨＳＶ色空間の概念図である。
【図７】第２の実施の形態における表示装置の信号処理部が備える機能例を示す図である。
【図８】第２の実施の形態における表示装置の逆ガンマ変換を説明するための図である。
【図９】第２の実施の形態における逆ガンマ特性のグラフの階調値の区分例を示す図である。
【図１０】第２の実施の形態における表示装置に含まれるルックアップテーブルの一例を示す図である。
【図１１】第２の実施の形態における表示装置に含まれる逆ガンマ変換部の回路構成例を示す図である。
【発明を実施するための形態】
【００１１】
以下に、実施の形態について、図面を参照しつつ説明する。
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状などについて模式的に表される場合があるが、あくまで一例であって、本発明の解釈を限定するものではない。
【００１２】
また、本明細書と各図面において、既出の図に関して前述したものと同様の要素には、同一の符号を付して、詳細な説明を適宜省略することがある。
【００１３】
［第１の実施の形態］
第１の実施の形態の表示装置について、図１を用いて説明する。
【００１４】
図１は、第１の実施の形態における表示装置を示す図である。
【００１５】
図１（Ａ）は、表示装置１に含まれる構成例を、図１（Ｂ）は、表示装置１に含まれるテーブルの一例をそれぞれ示している。図１（Ｃ）は、入力信号に対する、当該入力信号を第１関数により変換された変換信号を示すグラフを、図１（Ｄ）は、入力信号に対する、当該入力信号を第２関数により変換された出力信号を示すグラフをそれぞれ示している。図１（Ｃ）及び図１（Ｄ）は、いずれも、横軸は入力信号を、縦軸は入力信号が第１，第２関数により変換された変換・出力信号をそれぞれ表している。
【００１６】
表示装置１は、図１（Ａ）に示されるように、テーブル保持部２と、信号変換部３と、画像表示パネル４とを含む。
【００１７】
テーブル保持部２は、所定間隔で入力値が並ぶ第１区間と、当該第１区間より密な間隔で入力値が並ぶ第２区間とを設けた複数の入力値と、複数の入力値を第１関数で変換した変換値とを対応付けたテーブルを保持する。例えば、テーブル保持部２が保持する、図１（Ｂ）に例示するテーブル２ａでは、入力値ａ０〜ａ６と、入力値ａ０〜ａ６から変換された変換値ｂ０〜ｂ６とが対応付けられている。変換値ｂ０〜ｂ６は、入力値ａ０〜ａ６から、例えば、図１（Ｃ）に示されるような関数Ｆ１により変換されたものである。なお、関数Ｆ１（図１（Ｃ））の入力値ａ０〜ａ６と変換値ｂ０〜ｂ６とによる座標を、座標Ａ０〜Ａ６とする。また、入力値ａ０〜ａ６は、例えば、図１（Ｃ）の横軸が示す値から各間隔が異なるように抽出されたものである。区間（ａ０≦Ｘ＜ａ１）に並ぶ入力値ａ０，ａ１の間隔は、区間（ａ１≦Ｘ＜ａ２）に並ぶ入力値ａ１，ａ２の間隔よりも狭い（密）。同様に、区間（ａ１≦Ｘ＜ａ２）の間隔は、区間（ａ２≦Ｘ＜ａ３）の間隔よりも狭い。区間（ａ２≦Ｘ＜ａ３）の間隔は、区間（ａ３≦Ｘ＜ａ４）の間隔よりも狭い。区間（ａ３≦Ｘ＜ａ４）の間隔は、区間（ａ４≦Ｘ＜ａ５）の間隔よりも広い（疎）。区間（ａ４≦Ｘ＜ａ５）の間隔は、区間（ａ５≦Ｘ＜ａ６）の間隔よりも広い。このような区間の間隔は、例えば、関数Ｆ１の傾きの絶対値が大きい程、密に、当該傾きの絶対値が小さい程、疎になるように入力値ａ１〜ａ６を抽出することで設定される。なお、テーブル保持部２には、図１（Ｂ）に示す１種のテーブル２ａに限らず、関数Ｆ１の種類に応じて、テーブル２ａを複数保持させておくことができる。
【００１８】
信号変換部３は、テーブル２ａを参照し、入力信号の入力値が位置する区間を特定し、特定した区間の両端に位置する変換値から導かれる第２関数に入力信号の入力値を入力して、出力信号に変換する。このような信号変換部３は、入力信号を、例えば、後述する画像表示パネル４の表示特性（ガンマ値）に応じて、出力信号に変換する。例えば、信号変換部３は、テーブル２ａ（図１（Ｂ））を参照して、入力信号の入力値が区間（ａ０≦Ｘ＜ａ１）に位置することを特定すると、この区間の両端に位置する変換値ｂ０，ｂ１（座標Ａ０，Ａ１）から導かれる関数Ｆ２ａ（図１（Ｄ））により入力信号を出力信号に変換する。関数Ｆ２ａは、関数Ｆ１上の座標Ａ０，Ａ１から導かれたものであって、区間（ａ０≦Ｘ＜ａ１）における関数Ｆ１を近似するものである。同様に、関数Ｆ２ｂは、区間（ａ１≦Ｘ＜ａ２）の、関数Ｆ２ｃは、区間（ａ２≦Ｘ＜ａ３）の、関数Ｆ２ｄは、区間（ａ３≦Ｘ＜ａ４）の、関数Ｆ２ｅは、区間（ａ４≦Ｘ＜ａ５）の、関数Ｆ２ｆは、区間（ａ５≦Ｘ＜ａ６）の各関数Ｆ１をそれぞれ近似するものである。なお、信号変換部３は、テーブル保持部２が複数の種類の関数Ｆ１に応じて複数のテーブル２ａを保持する場合には、予め指定された種類の関数Ｆ１に対応するテーブル２ａを選択して、選択したテーブル２ａを用いて、上記の変換を行うことができる。
【００１９】
画像表示パネル４は、（信号変換部３が変換した）出力信号に基づき、画像を出力する。
【００２０】
次いで、このような構成を含む表示装置１の表示方法について説明する。
【００２１】
表示装置１において、信号変換部３は、入力信号の入力値が入力されると、テーブル保持部２が保持するテーブル２ａを参照し、当該入力値が位置する入力値ａ０〜ａ６の区間を特定する。この際、信号変換部３は、例えば、当該入力値が区間（ａ０≦Ｘ＜ａ１）に位置することを特定すると、図１（Ｄ）に示されるように、この区間の両端の変換値ｂ０，ｂ１（座標Ａ０，Ａ１）から導かれる関数Ｆ２ａ（ａ０≦Ｘ＜ａ１）により入力信号を出力信号に変換する。
【００２２】
このようにして、信号変換部３は、入力された入力信号の入力値が位置する区間に応じて、入力信号を関数Ｆ２ａ〜Ｆ２ｆにより出力信号に変換し、画像表示パネル４は、変換された出力信号に基づき、画像を表示する。
【００２３】
上記関数Ｆ２ａ〜Ｆ２ｆ（第２関数）は、既述の通り、各区間の両端に位置する関数Ｆ１（第１関数）の変換値（座標）から導きだされて、各区間における関数Ｆ１を近似するものである。各区間の間隔が、関数Ｆ１の傾きの絶対値が大きい程、密に、関数Ｆ１の傾きの絶対値が小さい程、疎になるように、図１（Ｃ）の横軸が示す入力値を抽出している。このため、関数Ｆ２ａ〜Ｆ２ｆが、特に、各区間の両端に位置する関数Ｆ１（第１関数）の変換値（座標）を通過する線形関数である場合には、関数Ｆ１を近似する関数Ｆ２ａ〜Ｆ２ｆは、抽出する入力値の数を増加させることなく、関数Ｆ１との誤差が小さくなる。したがって、表示装置１は、抽出する入力値の数の増加が抑制されることから、回路数並びに回路面積の増加が抑制されて消費電力の増加を抑制できる。また、関数Ｆ１との誤差を小さくされた、関数Ｆ１を近似する関数Ｆ２ａ〜Ｆ２ｆによって入力信号から変換された出力信号に基づき表示される画像は、関数Ｆ１で変換された出力信号の画像と近い画質が維持される。
【００２４】
［第２の実施の形態］
第２の実施の形態では、第１の実施の形態の一形態として、第１の実施の形態をより具体的に説明する。
【００２５】
まず、第２の実施の形態の表示装置のハードウェア構成について図２を用いて説明する。
【００２６】
図２は、第２の実施の形態における表示装置のハードウェア構成例を示す図である。
【００２７】
表示装置１００は、制御ユニット１００ａと、表示用ドライバＩＣ（Integrated Circuit）１００ｂと、ＬＥＤ（Light Emitting Diode）ドライバＩＣ１００ｃと、入出力インタフェース１００ｄと、通信インタフェース１００ｅとを含み、バス１００ｆを介して相互に信号が入出力可能に接続されている。さらに、表示装置１００は、画像表示パネル２００と、面状光源装置３００を含む。
【００２８】
制御ユニット１００ａは、ＣＰＵ（Central Processing Unit：中央処理装置）１００ａ１を含み、ＣＰＵ１００ａ１により装置全体を制御する。このような制御ユニット１００ａは、さらに、ＲＡＭ（Random Access Memory）１００ａ２、ＲＯＭ（Read Only Memory）１００ａ３を含み、複数の周辺機器が接続されている。
【００２９】
ＲＡＭ１００ａ２は、表示装置１００の主記憶装置として使用される。ＲＡＭ１００ａ２には、ＣＰＵ１００ａ１に実行させるＯＳ（Operating System）のプログラムやアプリケーションプログラムの少なくとも一部が一時的に格納される。また、ＲＡＭ１００ａ２には、ＣＰＵ１００ａ１による処理に必要な各種データが格納される。
【００３０】
ＲＯＭ１００ａ３は、読出し専用の半導体記憶装置で、ＯＳのプログラム、アプリケーションプログラム、及び書き替えをしない固定データが格納される。また、ＲＯＭ１００ａ３の代わり、あるいはＲＯＭ１００ａ３に加えて、二次記憶装置としてフラッシュメモリなどの半導体記憶装置を使用することもできる。
【００３１】
このような制御ユニット１００ａには、周辺機器として、例えば、表示用ドライバＩＣ１００ｂと、ＬＥＤドライバＩＣ１００ｃ、入出力インタフェース１００ｄ、通信インタフェース１００ｅが接続されている。
【００３２】
表示用ドライバＩＣ１００ｂには、画像表示パネル２００が接続されている。表示用ドライバＩＣ１００ｂは、入力信号が入力されると、所定の処理を実行して、出力信号を生成する。表示用ドライバＩＣ１００ｂは、生成した出力信号に応じた制御信号を画像表示パネル２００に出力することによって画像表示パネル２００に画像を表示させる。
【００３３】
ＬＥＤドライバＩＣ１００ｃには、後に図４で説明する面状光源装置３００に含まれるサイドライト光源３０２の各光源３０３に接続されている。ＬＥＤドライバＩＣ１００ｃは、光源制御信号に応じて光源３０３を駆動し、面状光源装置３００の輝度を制御する。
【００３４】
入出力インタフェース１００ｄには、利用者の指示を入力する入力装置が接続されている。例えば、キーボードや、ポインティングデバイスとして使用されるマウス、タッチパネルなどの入力装置に接続される。入出力インタフェース１００ｄは、バス１００ｆを介して、入力装置から送られてくる信号をＣＰＵ１００ａ１に送信する。
【００３５】
通信インタフェース１００ｅは、ネットワーク１０００に接続されている。通信インタフェース１００ｅは、ネットワーク１０００を介して、他のコンピュータまたは通信機器との間でデータの送受信を行う。
【００３６】
表示装置１００は、例えば以上のハードウェア構成により、本実施の形態の処理機能を実現することができる。
【００３７】
次に、表示装置１００に含まれる画像表示パネル２００について、図３を用いて説明する。
【００３８】
図３は、第２の実施の形態における表示装置に含まれる画像表示パネルの画素配列例を示す図である。
【００３９】
画像表示パネル２００は、図３に示されるように、２次元の行列状に画素２０１が配列されている。当該画素２０１は、第１副画素２０２Ｒと、第２副画素２０２Ｇと、第３副画素２０２Ｂと、第４副画素２０２Ｗとを有する。なお、図３に示される場合では、第１副画素２０２Ｒは赤色、第２副画素２０２Ｇは緑色、第３副画素２０２Ｂは青色、第４副画素２０２Ｗは白色を表示する。第１副画素２０２Ｒと、第２副画素２０２Ｇと、第３副画素２０２Ｂとの色は、これに限定されず、補色などの色が異なっていればよい。また、第４副画素２０２Ｗの色は、白色に限られず、例えば、黄色などでもよく、特に、電力低減には白色が効果的である。なお、第４副画素２０２Ｗは、同じ光源点灯量で照射された場合、第１副画素２０２Ｒと、第２副画素２０２Ｇと、第３副画素２０２Ｂとよりも明るいことが好ましい。以下において、第１副画素２０２Ｒと、第２副画素２０２Ｇと、第３副画素２０２Ｂと、第４副画素２０２Ｗとをそれぞれ区別する必要がないときは、副画素２０２と表記する。
【００４０】
画像表示パネル２００は、より具体的には透過型のカラー液晶表示パネルであり、第１副画素２０２Ｒ、第２副画素２０２Ｇ、第３副画素２０２Ｂと画像観察者との間には、それぞれ赤色、緑色、青色を通過させるカラーフィルタが配置されている。また、第４副画素２０２Ｗと画像観察者との間にはカラーフィルタが配置されていない。第４副画素２０２Ｗには、カラーフィルタの代わりに透明な樹脂層が備えられていてもよい。このように透明な樹脂層を設けることで、第４副画素２０２Ｗにカラーフィルタを設けないことによって第４副画素２０２Ｗに大きな段差が生じることを抑制することができる。
【００４１】
このような構成を含む画像表示パネル２００は、画像表示パネル駆動部４００と接続されており、画像表示パネル駆動部４００によって画像表示パネル２００が制御されている。
【００４２】
画像表示パネル駆動部４００は、その少なくとも一部の機能が表示用ドライバＩＣ１００ｂで実現され、信号出力回路４１０と、走査回路４２０を含む。
【００４３】
信号出力回路４１０と走査回路４２０とは、それぞれ信号線ＤＴＬと信号線ＳＣＬとを介して画像表示パネル２００の第１〜第４副画素２０２Ｒ，２０２Ｇ，２０２Ｂ，２０２Ｗと電気的に接続されている。副画素２０２は、信号線ＤＴＬに接続されているとともに、スイッチング素子（例えば、薄膜トランジスタＴＦＴ：Thin Film Transistor）を介して信号線ＳＣＬに接続する。画像表示パネル駆動部４００は、走査回路４２０によって副画素２０２を選択し、信号出力回路４１０から順に出力信号を出力することによって、副画素２０２の動作（光透過率）を制御する。
【００４４】
次に、表示装置１００に含まれる面状光源装置３００について、図４を用いて説明する。
【００４５】
図４は、第２の実施の形態における表示装置に含まれる面状光源装置の構成例を示す図である。
【００４６】
面状光源装置３００は、図３に示した画像表示パネル２００の背面に配置され、画像表示パネル２００に向けて光を照射することで、画像表示パネル２００を照明する。このような面状光源装置３００は、導光板３０１と、導光板３０１の少なくとも一側面を入射面Ｅとして、この入射面Ｅに対向する位置に複数の光源３０３を配列したサイドライト光源３０２と、サイドライト光源３０２を駆動する面状光源装置駆動部５００と、を含む。複数の光源３０３は、同色（例えば、白色）の発光ダイオード（ＬＥＤ）であり、個々に独立して電流またはデューティ比を制御することができる。光源３０３は、導光板３０１の一側面に沿って並んでおり、光源３０３が並ぶ方向を光源配列方向ＬＹとしたとき、光源配列方向ＬＹに直交する入光方向ＬＸに向けて、入射面Ｅから導光板３０１へ光源３０３の入射光が入光する。
【００４７】
面状光源装置駆動部５００は、その少なくとも一部の機能がＬＥＤドライバＩＣ１００ｃにより実現され、サイドライト光源３０２の各光源３０３に接続されている。面状光源装置駆動部５００は、光源制御信号に基づいて光源３０３に供給する電流またはデューティ比を調整することで、光源３０３の光量を制御し、面状光源装置３００の輝度（光の強度）を制御する。
【００４８】
次に、このような画像表示パネル２００と面状光源装置３００とを含む表示装置１００が備える機能について、図５を用いて説明する。
【００４９】
図５は、第２の実施の形態における表示装置が備える機能の構成例を示す図である。
【００５０】
表示装置１００は、画像出力部１１０と、信号処理部１２０とを含み、画像表示パネル駆動部４００に出力信号ＳＲＧＢＷを、面状光源装置駆動部５００に光源制御信号ＳＢＬをそれぞれ入力する。
【００５１】
画像出力部１１０は、入力信号ＳＲＧＢ（例えば、表示階調ビット数は８ビット）を信号処理部１２０に出力する。入力信号ＳＲＧＢには、第１原色に対する入力信号値ｘ1(p,q)、第２原色に対する入力信号値ｘ2(p,q)、第３原色に対する入力信号値ｘ3(p,q)が含まれる。第２の実施の形態では、第１原色は赤色、第２原色は緑色、第３原色は青色であるとする。
【００５２】
信号処理部１２０は、画像表示パネル２００を駆動する画像表示パネル駆動部４００と、面状光源装置３００を駆動する面状光源装置駆動部５００とに信号を供給する。信号処理部１２０は、入力信号ＳＲＧＢに応じて画像表示パネル２００の画素の輝度を調整する指標（または、面状光源装置３００の輝度を削減する指標）を決定し、当該指標に応じて面状光源装置３００の画素ごとの輝度情報を算出して出力信号ＳＲＧＢＷ（例えば、表示階調ビット数は、８ビット）に反映し、画像表示パネル２００の画像表示を制御する。出力信号ＳＲＧＢＷには、第１副画素２０２Ｒの出力信号値Ｘ1(p,q)、第２副画素２０２Ｇの出力信号値Ｘ2(p,q)、第３副画素２０２Ｂの出力信号値Ｘ3(p,q)に加え、第４の色を表示する第４副画素２０２Ｗの出力信号値Ｘ4(p,q)が含まれる。第２の実施の形態では、第４の色は白色であるとする。なお、画素の輝度を調整する指標については後述する。
【００５３】
このような信号処理部１２０の処理動作は、図２に示した、表示用ドライバＩＣ１００ｂまたはＣＰＵ１００ａ１などによって実現される。
【００５４】
表示用ドライバＩＣ１００ｂで実現する場合には、ＣＰＵ１００ａ１を介して入力信号ＳＲＧＢが表示用ドライバＩＣ１００ｂに入力される。表示用ドライバＩＣ１００ｂは、出力信号ＳＲＧＢＷを生成し、画像表示パネル２００を制御する。また、光源制御信号ＳＢＬを生成し、バス１００ｆを介してＬＥＤドライバＩＣ１００ｃに送る。
【００５５】
ＣＰＵ１００ａ１によって実現する場合には、表示用ドライバＩＣ１００ｂには、ＣＰＵ１００ａ１から出力信号ＳＲＧＢＷが入力される。また、光源制御信号ＳＢＬもＣＰＵ１００ａ１によって生成され、バス１００ｆを介してＬＥＤドライバＩＣ１００ｃに送られる。
【００５６】
次に、画素の輝度を向上する指標、または面状光源装置３００の輝度を削減する指標の一態様として、伸張係数αを指標に用いた場合について、図６を用いて説明する。
【００５７】
図６は、第２の実施の形態における表示装置で再現可能な再現ＨＳＶ色空間の概念図である。
【００５８】
表示装置１００では、画素２０１に第４の色（白色）を出力する第４副画素２０２Ｗを備えることによって、表示装置１００で再現可能な再現ＨＳＶ色空間における明度のダイナミックレンジを広げることができる。なお、Ｈは色相（Hue）、Ｓは彩度（Saturation）、Ｖは明度（Value）を表している。
【００５９】
第４の色を加えた再現ＨＳＶ色空間は、図６に示されるように、第１副画素２０２Ｒと、第２副画素２０２Ｇと、第３副画素２０２Ｂとが表示することのできる円柱形状のＨＳＶ色空間に、彩度Ｓが高くなるほど明度Ｖの最大値が低くなる略台形形状となる立体が載っている形状となる。信号処理部１２０には、第４の色を加えることで拡大された再現ＨＳＶ色空間における彩度Ｓを変数とした明度Ｖの最大値Ｖｍａｘ（Ｓ）が記憶されている。つまり、信号処理部１２０は、図６に示した再現ＨＳＶ色空間の立体形状について、彩度Ｓ及び色相Ｈの座標（値）ごとに明度Ｖの最大値Ｖｍａｘ（Ｓ）の値を記憶している。
【００６０】
なお、入力信号ＳＲＧＢは、第１原色と、第２原色と、第３原色とに対応する入力信号値を有する信号であるため、入力信号ＳＲＧＢのＨＳＶ色空間は、円柱形状、すなわち、図６に示した再現ＨＳＶ色空間の円柱形状部分と同じ形状となる。したがって、出力信号ＳＲＧＢＷは、再現ＨＳＶ色空間に対し、入力信号ＳＲＧＢを伸張した伸張画像信号として算出することができる。この伸張画像信号は、再現ＨＳＶ色空間における明度レベルを比較することで決定される伸張係数αによって伸張する。伸張係数αによって入力画像信号の信号レベルを伸張することで、第４副画素２０２Ｗの値を大きくとることができ、画像全体の輝度を向上することができる。このとき、伸張係数αで画像全体の輝度が向上した分、面状光源装置３００の輝度を１／αに下げることで、入力信号ＳＲＧＢと全く同じ輝度で表示することが可能となる。
【００６１】
信号処理部１２０では、χを表示装置１００に依存した定数としたとき、第（ｐ，ｑ）番目の画素（または第１副画素２０２Ｒと、第２副画素２０２Ｇと、第３副画素２０２Ｂとの組）への第１副画素２０２Ｒの出力信号であるＸ1(p,q)、第２副画素２０２Ｇの出力信号であるＸ2(p,q)及び第３副画素２０２Ｂの出力信号であるＸ3(p,q)は、伸張係数αと定数χを用いて、次のように表現することができる。χについては後述する。
【００６２】
Ｘ1(p,q)＝α・ｘ1(p,q)−χ・Ｘ4(p,q)                      ・・・（１）
【００６３】
Ｘ2(p,q)＝α・ｘ2(p,q)−χ・Ｘ4(p,q)                      ・・・（２）
【００６４】
Ｘ3(p,q)＝α・ｘ3(p,q)−χ・Ｘ4(p,q)                      ・・・（３）
【００６５】
また、出力信号値Ｘ4(p,q)は、Ｍｉｎ(p,q)と伸張係数αとの積に基づき求めることができる。Ｍｉｎ(p,q)は、第１副画素２０２Ｒの入力信号値ｘ1(p,q)、第２副画素２０２Ｇの入力信号値ｘ2(p,q)及び第３副画素２０２Ｂの入力信号値ｘ3(p,q)のうちの最小値である。具体的には、下記の式（４）に基づいて、出力信号値Ｘ4(p,q)を求めることができる。
【００６６】
Ｘ4(p,q)＝Ｍｉｎ(p,q)・α／χ                                ・・・（４）
【００６７】
なお、式（４）では、Ｍｉｎ(p,q)と伸張係数αとの積をχで除しているが、これに限定するものではない。また、伸張係数αは、１画像表示フレームごとに決定される。
【００６８】
以下、これらの点について説明する。
【００６９】
一般に、第（ｐ，ｑ）番目の画素において、第１副画素２０２Ｒの入力信号値ｘ1(p,q)、第２副画素２０２Ｇの入力信号値ｘ2(p,q)及び第３副画素２０２Ｂの入力信号値ｘ３(p,q)を含む入力信号ＳＲＧＢに基づき、円柱のＨＳＶ色空間における彩度Ｓ(p,q)及び明度Ｖ（Ｓ）(p,q)は、次の式（５）、（６）から求めることができる。
【００７０】
Ｓ(p,q)＝（Ｍａｘ(p,q)−Ｍｉｎ(p,q)）／Ｍａｘ(p,q)            ・・・（５）
【００７１】
Ｖ（Ｓ）(p,q)＝Ｍａｘ(p,q)                                      ・・・（６）
【００７２】
なお、Ｍａｘ(p,q)は、第１副画素２０２Ｒの入力信号値ｘ1(p,q)、第２副画素２０２Ｇの入力信号値ｘ2(p,q)及び第３副画素２０２Ｂの入力信号値ｘ3(p,q)のうちの最大値である。Ｍｉｎ(p,q)は、上記のように、３つの副画素の入力値のうちの最小値である。また、彩度Ｓは０から１までの値をとることができ、明度Ｖ（Ｓ）は０から（２n−１）までの値をとることができる。ｎは、表示階調ビット数である。
【００７３】
ここで、白色を表示する第４副画素２０２Ｗには、カラーフィルタが配置されていない。第４の色を表示する第４副画素２０２Ｗは、同じ光源点灯量で照射された場合、第１原色を表示する第１副画素２０２Ｒ、第２原色を表示する第２副画素２０２Ｇ及び第３原色を表示する第３副画素２０２Ｂよりも明るい。第１副画素２０２Ｒに第１副画素２０２Ｒの出力信号の最大信号値に相当する値を有する信号が入力され、第２副画素２０２Ｇに第２副画素２０２Ｇの出力信号の最大信号値に相当する値を有する信号が入力され、第３副画素２０２Ｂに第３副画素２０２Ｂの出力信号の最大信号値に相当する値を有する信号が入力されたときの画素２０１の群が備える第１副画素２０２Ｒ、第２副画素２０２Ｇ及び第３副画素２０２Ｂの集合体の輝度をＢＮ1-3とする。また、画素２０１または画素２０１の群が備える第４副画素２０２Ｗの出力信号の最大信号値に相当する値を有する信号が入力されたときの第４副画素２０２Ｗの輝度をＢＮ4としたときを想定する。すなわち、第１副画素２０２Ｒ、第２副画素２０２Ｇ及び第３副画素２０２Ｂの集合体によって最大輝度の白色が表示され、この白色の輝度がＢＮ1-3で表される。すると、表示装置１００に依存した定数χは、χ＝ＢＮ4／ＢＮ1-3で表される。
【００７４】
ところで、出力信号値Ｘ4(p,q)が、上記の式（４）で与えられる場合、再現ＨＳＶ色空間における彩度Ｓを変数とした明度Ｖの最大値Ｖｍａｘ（Ｓ）は、次の式（７）、（８）で表すことができる。
【００７５】
Ｓ≦Ｓ0の場合、
Ｖｍａｘ（Ｓ）＝（χ＋１）・（２n−１）                          ・・・（７）
【００７６】
Ｓ0＜Ｓ≦１の場合、
Ｖｍａｘ（Ｓ）＝（２n−１）・（１／Ｓ）                          ・・・（８）
ここで、Ｓ0＝１／（χ＋１）であり、図６における明度Ｖが下がり始める彩度とされる。
【００７７】
このようにして得られた、第４の色を加えることによって再現ＨＳＶ色空間における彩度Ｓを変数とした明度Ｖの最大値Ｖｍａｘ（Ｓ）が、例えば、信号処理部１２０に一種のルックアップテーブルとして記憶されている。あるいは、再現ＨＳＶ色空間における彩度Ｓを変数とした明度Ｖの最大値Ｖｍａｘ（Ｓ）は、都度、信号処理部１２０において求められる。
【００７８】
伸張係数αは、ＨＳＶ色空間における明度Ｖ（Ｓ）を再現ＨＳＶ色空間に伸張する係数であり、次の式（９）で表すことができる。
【００７９】
α（Ｓ）＝Ｖｍａｘ（Ｓ）／Ｖ（Ｓ）                              ・・・（９）
【００８０】
伸張演算では、例えば、複数の画素２０１において求められたα（Ｓ）に基づき、伸張係数αを決定する。
【００８１】
次に、信号処理部１２０が含む機能の構成例について、図７を用いて説明する。
【００８２】
図７は、第２の実施の形態における表示装置の信号処理部が備える機能例を示す図である。
【００８３】
表示装置１００の信号処理部１２０は、画像入力Ｉ／Ｆ（インタフェース）部１２１と、フレームメモリ１２２と、ガンマ変換部１２３と、伸張係数生成部１２４と、ＲＧＢＷ生成部１２５と、逆ガンマ変換部６００と、Ｄ／Ａコンバータ（ＤＡＣ）１２６と、出力アンプ１２７とを備える。
【００８４】
画像入力Ｉ／Ｆ部１２１は、入力信号ＳＲＧＢが入力されて、入力インタフェース処理を行う。
【００８５】
フレームメモリ１２２は、入力信号ＳＲＧＢをフレーム単位で記憶する。フレームメモリ１２２から読み出された入力信号ＳＲＧＢは、ガンマ変換部１２３に出力される。
【００８６】
ガンマ変換部１２３は、入力信号ＳＲＧＢが入力された際の入力信号値（階調値）に対する輝度（明度）が線形に変化するように入力信号ＳＲＧＢを変換（ガンマ変換）する。後述するＲＧＢＷ生成部１２５が入力信号ＳＲＧＢから出力信号ＳＲＧＢＷを生成して輝度を増加させる際に、入力信号ＳＲＧＢが線形性を有さない場合には、生成される出力信号ＳＲＧＢＷを適切に生成することができない。そこで、入力信号ＳＲＧＢが線形性を有するように変換しておく。なお、ガンマ変換された入力信号ＳＲＧＢは、伸張係数生成部１２４とＲＧＢＷ生成部１２５とに出力される。
【００８７】
伸張係数生成部１２４は、まず、入力信号ＳＲＧＢをＨＳＶ空間の信号に変換し、ＨＳＶ空間の入力信号のガンマ変換を行って、ガンマ補正後のＨＳＶ空間の画像信号から伸張係数αを算出する。算出された伸張係数αは、ＲＧＢＷ生成部１２５及び面状光源装置駆動部５００に出力される。
【００８８】
ＲＧＢＷ生成部１２５は、入力信号ＳＲＧＢに対して、伸張係数生成部１２４から出力された伸張係数αを用いて出力信号ＳＲＧＢＷ（例えば、表示階調ビット数は１６ビット）を出力する。
【００８９】
逆ガンマ変換部６００は、ガンマ値ごとのルックアップテーブル（ＬＵＴ）を保持するＬＵＴ保持部６３０を含む。逆ガンマ変換部６００は、変換したいガンマ値に対応するルックアップテーブルを参照して、出力信号ＳＲＧＢＷを、ガンマ変換部１２３で入力信号ＳＲＧＢを変換する前の状態に変換（逆ガンマ変換）する。例えば、逆ガンマ変換部６００は、表示階調ビット数が１６ビットの出力信号ＳＲＧＢＷを、入力信号ＳＲＧＢのガンマ変換前の表示階調ビット数である８ビットの出力信号ＳＲＧＢＷに変換することができる。なお、逆ガンマ変換部６００の詳細については後述する。
【００９０】
Ｄ／Ａコンバータ１２６は、逆ガンマ変換部６００から出力された出力信号ＳＲＧＢＷをアナログ画像信号に変換する。
【００９１】
出力アンプ１２７は、アナログ画像信号のレベルを増幅して、画像表示パネル駆動部４００に出力する。
【００９２】
次に、逆ガンマ変換部６００について説明する。
【００９３】
まず、逆ガンマ変換部６００で変換する際の逆ガンマ特性について図８を用いて説明する。
【００９４】
図８は、第２の実施の形態における表示装置の逆ガンマ変換を説明するための図であり、図８（Ａ）は、所定のガンマ値に関する逆ガンマ特性のグラフの一例を、図８（Ｂ）は、図８（Ａ）のグラフの傾きに関するグラフをそれぞれ示している。なお、図８（Ａ），（Ｂ）の横軸は階調値（例えば、出力信号ＳＲＧＢＷの出力信号値）を、縦軸について図８（Ａ）では正規化した輝度値を、図８（Ｂ）では傾きをそれぞれ表している。
【００９５】
逆ガンマ変換部６００は、出力信号ＳＲＧＢＷの出力信号値（階調値）が、図８（Ａ）に示されるグラフの関数（逆ガンマ変換関数）から得られる輝度値になるように逆ガンマ変換を行う。
【００９６】
逆ガンマ変換部６００が含むＬＵＴ保持部６３０が保持するルックアップテーブルは、逆ガンマ変換関数による変換前後の値の対応関係をテーブル化したものである。
【００９７】
なお、逆ガンマ変換関数は、図８（Ａ）に示されるように、階調値ごとにその傾きが異なっている。図８（Ｂ）に示されるように、特に、０〜８１９２及び５７３４４〜６５５３６の階調値に対する傾きは非常に大きくなっている。一方、これらの間である８１９２〜５７３４４の階調値に対する逆ガンマ変換関数の傾きは小さくなっている。
【００９８】
次いで、図８（Ａ）に示したグラフの場合におけるＬＵＴ保持部６３０が保持するルックアップテーブルについて、図９及び図１０を用いて説明する。
【００９９】
図９は、第２の実施の形態における逆ガンマ特性のグラフの階調値の区分例を示す図である。図１０は、第２の実施の形態における表示装置に含まれるルックアップテーブルの一例を示す図であり、図８（Ａ）のグラフにおける、図１０（Ａ）は、ＬＵＴ＿０の、図１０（Ｂ）は、ＬＵＴ＿１３の場合をそれぞれ表している。
【０１００】
逆ガンマ変換関数は、図８（Ｂ）で示したように、傾きの大きさ（絶対値）に違いがある。そこで、ルックアップテーブルは、逆ガンマ変換関数の傾きが大きい程、階調値の抽出間隔を小さくし、傾きが小さい程、階調値の抽出間隔を大きくして区分けしている。
【０１０１】
図９に示される区分けの例として、階調値が０から１５では、逆ガンマ変換関数の傾きが大きいために、間隔を１として、ＬＵＴ＿０の階調値の範囲としている。別の例として、階調値が１６３８４から３２７６７では、逆ガンマ変換関数の傾きが小さいため、間隔を２０４８（ＬＵＴ＿０の間隔より広く）として、ＬＵＴ＿１３の階調値の範囲としている。このように逆ガンマ変換関数の傾きの大きさに応じて、ＬＵＴ＿ｍ（但し、ｍは０〜１８）の階調値の範囲が設定されている。
【０１０２】
このようなルックアップテーブルは、例えば、ＬＵＴ＿０では、図１０（Ａ）に示されるように、階調値０〜１５（間隔は１）と、階調値０〜１５が逆ガンマ変換関数により変換されて得られる輝度値（ＬＵＴ＿０（ｎ）（但し、ｎは間隔が１の階調値の０〜１５））とが対応付けてテーブル化されている。ＬＵＴ＿１３では、図１０（Ｂ）に示されるように、階調値１６３８４〜３２７６７（間隔は２０４８）と、階調値１６３８４〜３２７６７が逆ガンマ変換関数により変換されて得られる輝度値（ＬＵＴ＿１３（ｎ）（但し、ｎは間隔が２０４８の階調値の１６３８４〜３２７６７））とが対応付けてテーブル化されている。
【０１０３】
逆ガンマ変換部６００は、このようなルックアップテーブルを参照して、出力信号ＳＲＧＢＷの階調値が位置するルックアップテーブルの区間を特定する。逆ガンマ変換部６００は、特定した区間の両端における逆ガンマ変換関数の輝度値により線形補間を行い、特定した区間における逆ガンマ変換関数を近似する関数（近似関数）を生成し、近似関数により出力信号ＳＲＧＢＷを変換する。
【０１０４】
ここで、第２の実施の形態の場合における線形補間について説明する。
【０１０５】
出力信号ＳＲＧＢＷの階調値が位置するルックアップテーブルの区間の両端における逆ガンマ変換関数の輝度値を用いた線形補間により得られる近似関数は、次式により算出される。
【０１０６】
近似関数＝［ＬＵＴ＿ｍ（ｎ＋ｄ）−ＬＵＴ＿ｍ（ｎ）］＊Ｘ／ｄ＋ＬＵＴ＿ｍ（ｎ）
・・・（１０）
（但し、ｍはＬＵＴ番号（ｍ＝０〜１８）、ｎは階調値、ｄは階調値の間隔をそれぞれ表す。また、Ｘは、出力信号ＳＲＧＢＷの出力信号値（階調値）−ｎ（０≦Ｘ＜ｄ）である。）
【０１０７】
例えば、出力信号ＳＲＧＢＷの出力信号値（階調値）が２．５である場合の近似関数は式（１０）を用いて、次のように表される。
【０１０８】
近似関数＝［ＬＵＴ＿０（３）−ＬＵＴ＿０（２）］＊（０．５）＋ＬＵＴ＿０（２）
【０１０９】
または、出力信号ＳＲＧＢＷの出力信号値（階調値）が２４５８０である場合の近似関数は式（１０）を用いて、次のように表される。
【０１１０】
近似関数＝［ＬＵＴ＿１３（２６６２４）−ＬＵＴ＿１３（２４５７６）］＊（４／２０４８）＋ＬＵＴ＿１３（２４５７６）
【０１１１】
次に、このような逆ガンマ変換部６００の具体例について、図１１を用いて説明する。
【０１１２】
図１１は、第２の実施の形態における表示装置に含まれる逆ガンマ変換部の回路構成例を示す図である。
【０１１３】
逆ガンマ変換部６００は、ガンマ値選択部６１０と、選択器６２１−０〜６２１−１８，６２２−０〜６２２−１８，６２３−０〜６２３−１８（これらを総称して選択器６２０）、変換器６３１−０〜６３１−１８，６３２−０〜６３２−１８，６３３−０〜６３３−１８、選択器６４０を含む。さらに、逆ガンマ変換部６００は、記憶部６５０，６６０，６７０と、乗算器６８０と、加算器６９０とを含む。
【０１１４】
ガンマ値選択部６１０は、逆ガンマ変換の対象とするガンマ値が予め設定されており、当該ガンマ値の選択指示信号を出力する。
【０１１５】
選択器６２０は、出力信号ＳＲＧＢＷが入力されると、ガンマ値選択部６１０の選択指示信号に基づき、選択された選択器６２１−０〜６２１−１８，６２２−０〜６２２−１８，６２３−０〜６２３−１８から出力信号ＳＲＧＢＷを出力する。
【０１１６】
変換器６３１−０〜６３１−１８，６３２−０〜６３２−１８，６３３−０〜６３３−１８は、ガンマ値ごと（例えば、ガンマ値が２．２、γＡ、γＢ）のＬＵＴ＿０〜ＬＵＴ＿１８をそれぞれ保持する。変換器６３１−０〜６３１−１８，６３２−０〜６３２−１８，６３３−０〜６３３−１８は、それぞれ保持するガンマ値ごとのＬＵＴ＿０〜ＬＵＴ＿１８を参照して、選択器６２０から出力された出力信号ＳＲＧＢＷが位置するルックアップテーブル番号（ｍ）の区間（ｎ，ｎ＋ｄ）を特定する。変換器６３１−０〜６３１−１８，６３２−０〜６３２−１８，６３３−０〜６３３−１８は、特定した区間の両端に位置する値であるＬＵＴ＿ｍ（ｎ）及びＬＵＴ＿ｍ（ｎ＋ｄ）と、Ｘ／ｄとを出力する。
【０１１７】
選択器６４０は、ガンマ値選択部６１０からのガンマ値の選択指示信号に基づいて、当該ガンマ値に対応する変換器６３１−０〜６３１−１８，６３２−０〜６３２−１８，６３３−０〜６３３−１８を選択する。選択器６４０は、選択した変換器６３１−０〜６３１−１８，６３２−０〜６３２−１８，６３３−０〜６３３−１８から出力されるＬＵＴ＿ｍ（ｎ）及びＬＵＴ＿ｍ（ｎ＋ｄ）と、Ｘ／ｄとを記憶部６５０，６６０，６７０に出力する。
【０１１８】
記憶部６５０は、選択器６４０により選択された変換器から出力されたＸを記憶する。
記憶部６６０は、選択器６４０により選択された変換器から出力されたＬＵＴ＿ｍ（ｎ）とＬＵＴ＿ｍ（ｎ＋ｄ）との差を記憶する。
記憶部６７０は、選択器６４０により選択された変換器から出力されたＬＵＴ＿ｍ（ｎ）を記憶する。
【０１１９】
乗算器６８０は、記憶部６５０に記憶されているＸと、記憶部６６０に記憶されているＬＵＴ＿ｍ（ｎ＋ｄ）−ＬＵＴ＿ｍ（ｎ）を乗算する。
加算器６９０は、記憶部６７０に記憶されているＬＵＴ＿ｍ（ｎ）と、乗算器６８０で乗算された乗算結果とを加算して、出力信号ＳＲＧＢＷを出力する。
【０１２０】
このような構成により逆ガンマ変換部６００は、記憶部６５０，６６０，６７０と、乗算器６８０、加算器６９０を共通化して、指定されたガンマ値に応じて、上記式（１０）により出力信号ＳＲＧＢＷに逆ガンマ変換を行うことができる。このため、逆ガンマ変換部６００は、回路規模（回路の数並びに回路形成面積）の増加を抑制することができる。
【０１２１】
このように、近似関数は、既述の通り、階調値の区間の両端に位置する逆ガンマ変換関数の輝度値から導きだされて、各区間における逆ガンマ変換関数を近似するものである。各区間の間隔が、逆ガンマ変換関数の傾きの絶対値が大きい程、密に、逆ガンマ変換関数の傾きの絶対値が小さい程、疎になるように、出力信号ＳＲＧＢＷの出力信号値（階調値）を抽出している。このため、近似関数が、各区間の両端に位置する逆ガンマ変換関数の輝度値を通過する線形関数である場合には、逆ガンマ変換関数を近似する近似関数は、抽出する出力信号値の数を増加させることなく、逆ガンマ変換関数との誤差が小さくなる。なお、各区間の間隔は、近似関数と逆ガンマ変換関数との誤差が所定範囲内になるように、設定することができる。また、一般に、人は、低階調値側では画像の変化に気付きやすく、高階調値側では気付きにくい。このような性質を利用して、例えば、抽出する階調値の区間の数に上限がある場合には、低階調値側では密に、高階調値側では疎となるように抽出する階調値の区間のバランスを取るようにする。
【０１２２】
したがって、表示装置１００は、抽出する出力信号値の数の増加が抑制されることから、回路規模の増加が抑制されて消費電力の増加を抑制できる。また、逆ガンマ変換関数との誤差を小さくされた、近似関数によって入力信号ＳＲＧＢから変換された出力信号ＳＲＧＢＷに基づき表示される画像は、逆ガンマ変換関数で変換された出力信号の画像と近い画質が維持される。
【０１２３】
なお、上記の処理機能は、コンピュータによって実現することができる。その場合、表示装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスクドライブ（ＨＤＤ：Hard Disk Drive）、フレキシブルディスク（ＦＤ）、磁気テープなどがある。光ディスクには、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）などがある。光磁気記録媒体には、ＭＯ（Magneto-Optical disk）などがある。
【０１２４】
プログラムを流通させる場合には、たとえば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１２５】
プログラムを実行するコンピュータは、たとえば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１２６】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【０１２７】
本実施の形態においては、液晶表示装置の場合を例示したが、その他の適用例として、その他の自発光型表示装置、あるいは電気泳動素子などを有する電子ペーパー型表示装置など、あらゆるフラットパネル型の表示装置が挙げられる。また、中小型から大型まで、特に限定することなく適用が可能であることは言うまでもない。
【０１２８】
本技術の思想の範疇において、当業者であれば、各種の変更例及び修正例に想到し得るものであり、それら変更例及び修正例についても本技術の範囲に属するものと了解される。例えば、前述の各実施の形態に対して、当業者が適宜、構成要素の追加、削除若しくは設計変更を行ったもの、又は、工程の追加、省略若しくは条件変更を行ったものも、本技術の要旨を備えている限り、本技術の範囲に含まれる。
【０１２９】
また、本実施の形態において述べた態様によりもたらされる他の作用効果について本明細書の記載から明らかなもの、又は当業者において適宜想到し得るものついては、当然に本技術によりもたらされるものと解される。
【０１３０】
（１）開示される発明の一態様は、所定間隔で入力値が並ぶ第１区間と、前記第１区間より密な間隔で入力値が並ぶ第２区間とを設けた複数の入力値と、前記複数の入力値を第１関数で変換した変換値とを対応付けたテーブルを保持するテーブル保持部と、
前記テーブルを参照し、入力信号の入力値が位置する区間を特定し、特定した前記区間の両端に位置する変換値から導かれる第２関数に前記入力信号の入力値を入力して、出力信号に変換する信号変換部と、
前記出力信号に基づき、画像を出力する画像表示パネルと、
を有する表示装置である。
【０１３１】
（２）開示される発明の一態様は、前記テーブルにおいて、前記第２区間の前記第１関数の傾きの絶対値は、前記第１区間の前記第１関数の傾きの絶対値よりも大きい（１）記載の表示装置である。
【０１３２】
（３）開示される発明の一態様は、前記第２関数は、特定した前記区間の両端に位置する変換値を通過する線形関数である（１）または（２）に記載の表示装置である。
【０１３３】
（４）開示される発明の一態様は、前記第２関数は、特定した前記区間の両端に位置する変換値を用いて線形補間により導かれる（１）乃至（３）のいずれかに記載の表示装置である。
【０１３４】
（５）開示される発明の一態様は、前記テーブル保持部は、複数の種類の前記第１関数に対応して、複数の前記テーブルを保持する（１）乃至（４）のいずれかに記載の表示装置である。
【０１３５】
（６）開示される発明の一態様は、前記信号変換部は、前記テーブル保持部から、指定された種類の前記第１関数に対応するテーブルを選択する（５）記載の表示装置である。
【０１３６】
（７）開示される発明の一態様は、前記入力値が階調値であって、
前記第２区間の前記階調値は、前記第１区間の前記階調値よりも密である（１）乃至（６）のいずれかに記載の表示装置である。
【０１３７】
（８）開示される発明の一態様は、前記入力信号は、前記画像表示パネルの画素の輝度を調整する指標に基づき調整されている（１）乃至（７）のいずれかに記載の表示装置である。
【０１３８】
（９）開示される発明の一態様は、テーブル保持部と信号変換部とを有する表示装置の表示方法において、
前記信号変換部が、
所定間隔で入力値が並ぶ第１区間と、前記第１区間より密な間隔で入力値が並ぶ第２区間とを設けた複数の入力値と、前記複数の入力値を第１関数で変換した変換値とを対応付けた、前記テーブル保持部が保持するテーブルを参照し、
入力信号の入力値が位置する区間を特定し、特定した前記区間の両端に位置する変換値から導かれる第２関数に前記入力信号の入力値を入力して、出力信号に変換し、
前記出力信号に基づき、画像を出力させる、
表示方法である。
【符号の説明】
【０１３９】
１…表示装置  ２…テーブル保持部  ２ａ…テーブル  ３…信号変換部  ４…画像表示パネル
【図１】
2015203798.tif 000003
【図２】
2015203798.tif 000004
【図３】
2015203798.tif 000005
【図４】
2015203798.tif 000006
【図５】
2015203798.tif 000007
【図６】
2015203798.tif 000008
【図７】
2015203798.tif 000009
【図８】
2015203798.tif 000010
【図９】
2015203798.tif 000011
【図１０】
2015203798.tif 000012
【図１１】
2015203798.tif 000013